(57)【特許請求の範囲】
【請求項１】
化粧料を薄膜で覆い密閉したカプセル容器を、破断可能とする爪を備えた破断部材と、
前記カプセル容器を受け置くことが可能な受け置き部を備えると共に、当該受け置き部で破断された前記カプセル容器のその内部から現れる前記化粧料の通過を可能とする孔を備えた受け部材と、を具備し、
前記破断部材及び前記受け部材は、把手となる破断部材把手部及び受け部材把手部をそれぞれ備え、
前記破断部材の前記爪が前記受け部材の前記受け置き部へ進退するように前記破断部材把手部と前記受け部材把手部とが回動可能に連結されており、
前記爪は、前記カプセル容器の前記薄膜を突き刺して破断する破断爪と、
前記破断爪を間に挟むように複数が設けられ、前記カプセル容器の破断後の前記薄膜を互いの間に挟持し保持するための保持爪と、を備え、前記破断部材の前記受け部材に対する下方への回動により、前記受け置き部に受け置かれた前記カプセル容器を破断可能であると共に、前記破断部材の前記受け部材に対する上方への回動により、破断後の前記薄膜を保持した状態で前記受け置き部から取り出し可能であり、
前記受け部材は、前記孔を通過した前記化粧料を塗布に供するための塗布部を備えることを特徴とする化粧料塗布具。
【請求項２】
前記破断部材の前記保持爪は、周方向に沿って複数が離間して並設され、
前記受け部材は、当該受け部材の前記受け置き部に前記破断部材の前記爪が進んだときに、周方向に並ぶ前記保持爪同士の間の空間を埋めるように突出する突部を備えることを特徴とする請求項１記載の化粧料塗布具。
【請求項３】
化粧料を薄膜で覆い密閉したカプセル容器を、破断可能とする爪を備えた破断部材と、
前記カプセル容器を受け置くことが可能な受け置き部を備えると共に、当該受け置き部で破断された前記カプセル容器のその内部から現れる前記化粧料の通過を可能とする孔を備えた受け部材と、を具備し、
前記破断部材及び前記受け部材は、把手となる破断部材把手部及び受け部材把手部をそれぞれ備え、
前記破断部材の前記爪が前記受け部材の前記受け置き部へ進退するように前記破断部材把手部と前記受け部材把手部とが回動可能に連結されており、
前記爪は、前記カプセル容器の前記薄膜を突き刺して破断すると共に、前記カプセル容器の破断後の前記薄膜をかえしにより保持する破断爪を備え、前記破断部材の前記受け部材に対する下方への回動により、前記受け置き部に受け置かれた前記カプセル容器を破断可能であると共に、前記破断部材の前記受け部材に対する上方への回動により、破断後の前記薄膜を保持した状態で前記受け置き部から取り出し可能であり、
前記受け部材は、前記孔を通過した前記化粧料を塗布に供するための塗布部を備えることを特徴とする化粧料塗布具。
【請求項４】
前記受け部材の前記塗布部に塗布体を被覆するためのホルダ部材を備え、
前記ホルダ部材は、把手となるホルダ部材把手部を有し、
前記ホルダ部材把手部は、前記破断部材把手部及び前記受け部材把手部に対して着脱自在に取り付け可能とされていることを特徴とする請求項１〜３の何れか一項に記載の化粧料塗布具。
【発明の詳細な説明】
【技術分野】
【０００１】
本発明は、カプセル容器に収容されている化粧料を、カプセル容器を破断して塗布するための化粧料塗布具に関する。
【背景技術】
【０００２】
従来から、液状や粘性のある化粧料を、密閉容器に小分けにした使い捨てタイプの化粧品が知られている。例えば、以下の特許文献１に記載されている収納容器では、内容物である化粧料を収容した内容物容器を、受皿と成る外部保護容器の凹形状の収納部に入れ、覆い蓋により覆うことで閉塞収納して例えば携帯等も可能とし、使用の際には、収納部と外部とを連通する導出路を閉口している閉塞体を折り曲げ外部保護容器から分断することにより導出路を開口し、この状態で、手指等により、覆い蓋を押圧することで、内容物容器を、収納部内の底面に立設されている破断突起に押圧して突き破り、当該内容物容器から漏出する化粧料を導出路を通してその先端開口から外部に流出させて使用に供し、使用後の外部保護容器及び覆い蓋を、これらに収容され破断済み内容物容器と共にそのまま廃棄する使い捨て収納容器とされている。
【先行技術文献】
【特許文献】
【０００３】
【特許文献１】特開平９−１７５５３８号公報
【発明の概要】
【発明が解決しようとする課題】
【０００４】
しかしながら、上記収納容器にあっては、導出路の先端開口から流出する化粧料を例えば顔等の被塗布部に塗布する際に、一旦、手や指に受けてから塗布する必要があるため、手や指が汚れてしまう。また、このように、化粧料を、一旦、手や指に受けてから塗布するため、塗布が面倒である。さらに、内容物容器を破断するための外部保護容器及び覆い蓋が使い捨てであるため、毎回新しいものを用いる必要があり、ランニングコストが高くなる。
【０００５】
そこで、本発明は、化粧料を収容した内容物容器であるカプセル容器を用いる場合に、カプセル容器内の化粧料を、手や指を汚すことなく容易に顔等の被塗布部に塗布できると共に、長期に亘って使用できランニングコストを低減できる化粧料塗布具を提供することを目的としている。
【課題を解決するための手段】
【０００６】
本発明による化粧料塗布具は、化粧料を薄膜で覆い密閉したカプセル容器を、破断可能とする爪を備えた破断部材と、カプセル容器を受け置くことが可能な受け置き部を備えると共に、当該受け置き部で破断されたカプセル容器のその内部から現れる化粧料の通過を可能とする孔を備えた受け部材と、を具備し、破断部材及び受け部材は、把手となる破断部材把手部及び受け部材把手部をそれぞれ備え、破断部材の爪が受け部材の受け置き部へ進退するように破断部材把手部と受け部材把手部とが回動可能に連結されており、爪は、カプセル容器の薄膜を突き刺して破断する破断爪と、破断爪を間に挟むように複数が設けられ、カプセル容器の破断後の薄膜を互いの間に挟持し保持するための保持爪と、を備え、破断部材の受け部材に対する下方への回動により、受け置き部に受け置かれたカプセル容器を破断可能であると共に、破断部材の受け部材に対する上方への回動により、破断後の薄膜を保持した状態で受け置き部から取り出し可能であり、受け部材は、孔を通過した化粧料を塗布に供するための塗布部を備えることを特徴としている。
【０００７】
このような化粧料塗布具によれば、化粧料を薄膜で覆って密閉し受け部材の受け置き部に受け置かれたカプセル容器は、破断部材の爪が受け置き部に進むことで破断され、この破断によりカプセル容器内から現れる化粧料は、受け部材の孔を通過して塗布部に流出し塗布に供される。このように、カプセル容器内の化粧料は、一旦手や指に受けることなく塗布具から直接塗布できるため、手や指を汚すことなく容易に顔等の被塗布部に塗布できる。また、受け部材の受け置き部で破断されたカプセル容器の薄膜は、破断部材の爪に保持されるため、爪を受け置き部から退かせることで、破断後の薄膜を、受け置き部を例えば凹部としたときに当該凹部のような狭い場所に指を入れることなく、取り出した状態で除去でき、破断後の薄膜を容易に除去できる。また、このように破断後の薄膜を受け置き部から取り出し、次回の使用時に、新規なカプセル容器を受け置き部に受け置き上記動作を行うことで、塗布具が繰り返し使用可能とされ、従って、塗布具を使い捨てすることなく長期に亘って使用でき、ランニングコストを低減できる。また、カプセル容器を用いた場合の塗布の多様化を図ることができる。また、受け部材の受け置き部に破断部材の爪が向かうように受け部材把手部に対して破断部材把手部が回動されることにより、受け部材の受け置き部に受け置かれたカプセル容器が破断部材の爪により容易に破断され、一方、破断されて爪に保持された薄膜は、受け部材の受け置き部から破断部材の爪が離れるように受け部材把手部に対して破断部材把手部が回動されることにより、受け置き部から容易に取り出される。このため、使用性を格段に向上することができる。
【０００８】
ここで、爪は、カプセル容器の薄膜を突き刺して破断する破断爪と、破断爪を間に挟むように複数が設けられ、カプセル容器の破断後の薄膜を互いの間に挟持し保持するための保持爪と、を備えているため、破断爪により、カプセル容器の薄膜を突き刺して容易に破断する機能と、保持爪により、破断後の薄膜を保持爪同士の間に容易に挟持して保持する機能とを容易に発揮できる。
【０００９】
また、破断部材の保持爪は、周方向に沿って複数が離間して並設され、受け部材は、当該受け部材の受け置き部に破断部材の爪が進んだときに、周方向に並ぶ保持爪同士の間の空間を埋めるように突出する突部を備えていると、受け置き部で破断されたカプセル容器のその内部から現れる化粧料は、突部により、周方向に並ぶ保持爪同士の間から押し出され、受け部材の孔を通して無駄なく塗布に供される。
【００１０】
また、本発明による化粧料塗布具は、化粧料を薄膜で覆い密閉したカプセル容器を、破断可能とする爪を備えた破断部材と、カプセル容器を受け置くことが可能な受け置き部を備えると共に、当該受け置き部で破断されたカプセル容器のその内部から現れる化粧料の通過を可能とする孔を備えた受け部材と、を具備し、破断部材及び受け部材は、把手となる破断部材把手部及び受け部材把手部をそれぞれ備え、破断部材の爪が受け部材の受け置き部へ進退するように破断部材把手部と受け部材把手部とが回動可能に連結されており、爪は、カプセル容器の薄膜を突き刺して破断すると共に、カプセル容器の破断後の薄膜をかえしにより保持する破断爪を備え、破断部材の受け部材に対する下方への回動により、受け置き部に受け置かれたカプセル容器を破断可能であると共に、破断部材の受け部材に対する上方への回動により、破断後の薄膜を保持した状態で受け置き部から取り出し可能であり、受け部材は、孔を通過した化粧料を塗布に供するための塗布部を備えることを特徴としている。
【００１１】
このような化粧料塗布具によれば、化粧料を薄膜で覆って密閉し受け部材の受け置き部に受け置かれたカプセル容器は、破断部材の爪が受け置き部に進むことで破断され、この破断によりカプセル容器内から現れる化粧料は、受け部材の孔を通過して塗布部に流出し塗布に供される。このように、カプセル容器内の化粧料は、一旦手や指に受けることなく塗布具から直接塗布できるため、手や指を汚すことなく容易に顔等の被塗布部に塗布できる。また、受け部材の受け置き部で破断されたカプセル容器の薄膜は、破断部材の爪に保持されるため、爪を受け置き部から退かせることで、破断後の薄膜を、受け置き部を例えば凹部としたときに当該凹部のような狭い場所に指を入れることなく、取り出した状態で除去でき、破断後の薄膜を容易に除去できる。また、このように破断後の薄膜を受け置き部から取り出し、次回の使用時に、新規なカプセル容器を受け置き部に受け置き上記動作を行うことで、塗布具が繰り返し使用可能とされ、従って、塗布具を使い捨てすることなく長期に亘って使用でき、ランニングコストを低減できる。また、カプセル容器を用いた場合の塗布の多様化を図ることができる。また、受け部材の受け置き部に破断部材の爪が向かうように受け部材把手部に対して破断部材把手部が回動されることにより、受け部材の受け置き部に受け置かれたカプセル容器が破断部材の爪により容易に破断され、一方、破断されて爪に保持された薄膜は、受け部材の受け置き部から破断部材の爪が離れるように受け部材把手部に対して破断部材把手部が回動されることにより、受け置き部から容易に取り出される。このため、使用性を格段に向上することができる。ここで、爪は、カプセル容器の薄膜を突き刺して破断すると共に、カプセル容器の破断後の薄膜をかえしにより保持する破断爪を備えているため、破断爪により、カプセル容器の薄膜が突き刺されて容易に破断されると共に、破断後の薄膜がかえしにより容易に保持される。
【００１２】
また、受け部材の塗布部に塗布体を被覆するためのホルダ部材を備え、ホルダ部材は、把手となるホルダ部材把手部を有し、ホルダ部材把手部は、破断部材把手部及び受け部材把手部に対して着脱自在に取り付け可能とされているのが好ましい。このような構成を採用した場合、破断部材把手部及び受け部材把手部に対してホルダ部材把手部が取り付けられ、ホルダ部材により塗布体が受け部材の塗布部に被覆された状態で、受け部材の受け置き部に破断部材の爪が向かうように受け部材把手部及びホルダ部材把手部に対して破断部材把手部が回動されることによって、受け部材の受け置き部に受け置かれたカプセル容器が破断部材の爪により容易に破断され、カプセル容器内からの化粧料は、受け部材の孔を通過し塗布体を介して塗布に供され、塗布体を用いて塗布を行うことができると共に、カプセル容器を用いた場合の塗布の多様化を一層図ることができる。
【発明の効果】
【００１３】
このように本発明によれば、カプセル容器内の化粧料を、手や指を汚すことなく容易に顔等の被塗布部に塗布でき、且つ、破断後の薄膜を容易に除去でき、且つ、塗布具を使い捨てすることなく長期に亘って使用できランニングコストを低減でき、且つ、カプセル容器を用いた場合の塗布の多様化を図ることができる化粧料塗布具を提供することが可能となる。
【図面の簡単な説明】
【００１４】
【図１】本発明の一実施形態に係る化粧料塗布具を示す斜視図であり、破断部材を開いた状態を示す斜視図である。
【図２】図１に示す化粧料塗布具の側面図である。
【図３】図１及び図２に示す化粧料塗布具の正面図である。
【図４】図１〜図３の状態から破断部材を閉じた状態の化粧料塗布具を示す側面図である。
【図５】図４に示す化粧料塗布具の断面図である。
【図６】図１〜図５に示す化粧料塗布具からホルダ部材を取り外した分解斜視図である。
【図７】図１〜図６中の受け部材を上方から見た斜視図である。
【図８】図７に示す受け部材の側面図である。
【図９】図１〜図６中の破断部材を下方から見た斜視図である。
【図１０】図１〜図６中のホルダ部材を示す平面図である。
【図１１】図１０に示すホルダ部材の側面図である。
【図１２】図１〜図５の化粧料塗布具の使用方法を示す説明図である。
【図１３】図１２に続く使用方法を示す説明図である。
【図１４】図１３に続く使用方法を示す説明図である。
【図１５】他の爪を示す正面図である。
【発明を実施するための形態】
【００１５】
以下、本発明による化粧料塗布具の好適な実施形態について図１〜図１５を参照しながら説明する。図１〜図６は、本発明の一実施形態に係る化粧料塗布具を示す各図、図７及び図８は、受け部材を示す各図、図９は、破断部材を示す斜視図、図１０及び図１１は、ホルダ部材を示す各図、図１２〜図１４は、化粧料塗布具の使用方法を示す説明図、図１５は、他の爪を示す図であり、本実施形態の化粧料塗布具は、カプセル容器内の化粧料を顔等の被塗布部に塗布するためのものである。
【００１６】
ここで用いられるカプセル容器Ｃ（図１３参照）は、化粧料を薄膜Ｍで覆い密閉したものであり、１回の使用で１個が用いられる。薄膜Ｍは、ゼラチン、デンプン、グリセリン等から成る厚さ０．１〜０．８ｍｍの可食性弾性膜で形成される。収容される化粧料は、ここでは、特に好適であるとして、スキンケア化粧料とされているが、スキンケア化粧料に限定されるものではなく、他の化粧料であっても良い。また、化粧料は、液状化粧料が好ましいが、ジェル（ゲル）状、ゼリー状、泥状等の半固形状や軟質状の化粧料であっても良く、要は、本発明に適用可能であれば化粧料の状態は限定するものではない。
【００１７】
図１〜図５に示すように、化粧料塗布具１００は、受け部材１と、破断部材２と、ホルダ部材３と、を備え、図５に示すように、これらが上下方向に重なるように配置されて１ユニットが構成されている。
【００１８】
受け部材１は、カプセル容器Ｃを破断すべく受け置くためのものであると共に、破断により流出する化粧料を塗布に供するためのものであり、図１及び図５〜図８に示すように、スキーのジャンプ台のように傾斜して湾曲する形状を呈している。
【００１９】
この受け部材１は、その先端に、カプセル容器Ｃを受け置くための凹状の受け置き部４を備えると共に、この先端の受け置き部４に連設されて後方に延びる部分が、把手である受け部材把手部５とされている。
【００２０】
受け置き部４は、そのへこんでいる凹面６が、平面視略円形を成して上方に向かって開放され、破断部材２の後述の爪１２の進入を可能とする大きさに形成されている。この凹面６には、爪１２が受け置き部４に進んだ（凹部内に進入した）ときに当該受け置き部４の無駄な空間をなくすため（詳しくは後述）の突部７が、周方向に離間して複数設けられている。これらの突部７は、後述する保持爪１４の個数と同じ個数（ここでは４個）が設けられ、凹面６を形成する内周面及び底面に連設されて、当該内周面の上部から底面の中心より手前の位置（底面の中心近傍の位置）に至るように傾斜する滑り台状に形成されている。
【００２１】
また、受け置き部４は、凹状の受け置き部４内外を連通し、破断されたカプセル容器Ｃのその内部から現れる（流れ出る）化粧料を通過させるための孔８を複数備えている。これらの孔８は、受け置き部４の底部に設けられ、ここでは、上記突部７を除く位置に、平面視において受け置き部４の軸心を中心とした十文字を成すように並設されている（図７参照）。
【００２２】
また、受け置き部４は、その外面が、多数の孔８を通過した化粧料を塗布に供するための塗布部９とされている。そして、この塗布部９は、角がない丸みを帯びた形状を呈している。
【００２３】
一方、受け部材把手部５は、その後端部に、破断部材２を上下方向に回動させるヒンジＨを構成するための円筒状の軸受部１０を備えると共に、後方へ延在する部分の中程の両側面に、ホルダ部材３を係合するための係合突起１１，１１をそれぞれ備えている。
【００２４】
破断部材２は、受け部材２の受け置き部４に受け置かれたカプセル容器Ｃを、破断するためのものであり、図１〜図３、図５及び図９に示すように、受け部材１と同様に、スキーのジャンプ台のように傾斜して湾曲する形状を呈し、受け部材１の上に重ねて配置される。
【００２５】
この破断部材２は、その先端で受け部材１の受け置き部４に対応（対面）する位置に、受け置き部４に対して進退し（凹部内に対して進退し）カプセル容器Ｃを破断可能とする爪１２を備えると共に、この爪１２を有する先端に連設されて後方に延びる部分が、把手である破断部材把手部１５とされている。
【００２６】
爪１２は、平面視十文字を成す凸状の土台に受け置き部４に向かって突出する突起を設けたものであり、十文字の土台の中央（交差部）に位置し受け置き部４に向かって突出する破断爪１３と、十文字の土台の４箇所の端部（破断爪１３を間に挟む位置）に位置し受け置き部４に向かって突出する保持爪１４と、を含む。
【００２７】
破断爪１３は、カプセル容器Ｃの薄膜Ｍを突き刺して破断するためのものであり、ここでは、円錐状に突出する鋭利な突起とされている。なお、破断爪１３の形状は、薄膜Ｍを破断できる形状であれば良い。
【００２８】
保持爪１４は、破断後の薄膜Ｍを保持するためのものであり、互いの爪１４，１４同士の間に破断後の薄膜Ｍを挟持し得る形状とされている。そして、破断部材２の爪１２を受け部材１の受け置き部４に進ませた（凹部内に進入させた）ときに、保持爪１４を有する十文字の土台の周方向の空間部分Ｓ（図３参照）に、受け置き部４の突部７が位置して当該空間部分Ｓが埋められ、受け置き部４に無駄な空間が生じない構成とされている。
【００２９】
一方、破断部材把手部１５は、その後端部に、受け部材１に対して上下方向に回動するヒンジＨを構成するための円筒状の軸受部１６を備える。この軸受部１６は、軸線方向に離間して一対が配設され、これら軸受部１６，１６同士の間に、受け部材把手部５の軸受部１０が進入する構成とされている。
【００３０】
この破断部材２の破断部材把手部１５の軸受部１６，１６に対して、図１〜図６に示すように、受け部材１の受け部材把手部５の軸受部１０が同軸に配置され、これらの軸受部１０，１６，１６の軸孔にピン１７（図５参照）が通されることで、当該ピン１７により、破断部材２と受け部材１とが回動可能に支持されるヒンジＨが構成され、このヒンジＨによる破断部材２の受け部材１に対する回動によって、図１〜図３に示すように、破断部材２が受け部材１に対して離間する破断部材２の開状態と、図４及び図５に示すように、破断部材２が受け部材１に対して重なり破断部材２の爪１２が受け部材１の受け置き部４へ進む（凹部内へ進入する）破断部材２の閉状態との２通りの態様をとることが可能とされている。
【００３１】
そして、図６に示すように、受け部材１及び破断部材２により、カプセル容器Ｃを破断するための破断ユニットＵが構成されている。
【００３２】
ホルダ部材３は、受け部材１の塗布部９に塗布体２０（図１２〜図１４参照）を被覆するためのものであり、図１〜図６、図１０及び図１１に示すように、受け部材１と同様に、スキーのジャンプ台のように傾斜して湾曲する形状を呈し、受け部材１の下に重ねて配置される。
【００３３】
このホルダ部材３は、その先端に、受け部材１の下方に突出する受け置き部４が進入するための開口１８を備えると共に、この開口１８を有する先端に連設されて後方に延びる部分が、把手であるホルダ部材把手部１９とされている。
【００３４】
開口１８は、平面視略円形を成し、進入した受け置き部４の外面（塗布部）９との間に、塗布体２０を挟み込むことが可能な大きさとされている。
【００３５】
ここで用いられる塗布体２０は、化粧料を含浸可能で、含浸した化粧料を顔等の被塗布部に対して良好な感触をもって塗布できるものであり、ここでは、コットンとされているが、コットンに限定されるものではなく、例えば、スポンジや、ティッシュを数枚重ねたものであっても良い。
【００３６】
一方、ホルダ部材把手部１９は、図１０に示すように、その後端部の両側部の内面に、破断ユニットＵに対して上下方向に回動可能且つ着脱自在に取り付けるための凸部２１，２１を、内側に向かって突出するようにそれぞれ備えると共に、後方へ延在する部分の中程の両側部の内面に、破断ユニットＵの受け部材１の係合突起１１，１１に係合するための係合突起２２，２２を、内側に向かって突出するようにそれぞれ備えている。
【００３７】
このホルダ部材３は、そのホルダ部材把手部１９の凸部２１，２１が、図６に示すように、破断部材２の両軸受部１６，１６の軸孔の外側部分に進入することで、破断ユニットＵに対して上下方向に回動可能に連結される。また、図４及び図５に示すように、ホルダ部材３に対して破断ユニットＵの受け部材１が重ねられることで、ホルダ部材３の係合突起２２，２２と受け部材１の係合突起１１，１１とが係合し（図３参照）、破断ユニットＵとホルダ部材３とがユニット化される。
【００３８】
そして、受け部材１及び破断部材２より成る破断ユニットＵ、及び、ホルダ部材３によって、図１〜図５に示す本実施形態の化粧料塗布具１００が構成されている。
【００３９】
このような構成を有する化粧料塗布具１００を使用するにあたっては、先ず、図１２に示すように、ホルダ部材３に対して、受け部材１に破断部材２を重ねて成る破断ユニットＵを、受け部材１の係合突起１１とホルダ部材３の係合突起２２同士の係合に抗し、ホルダ部材把手部１９の凸部２１を支点として上方に回動させ、次いで、塗布体２０をホルダ部材３の開口１８を覆うように置き、次いで、ホルダ部材３に対して、破断ユニットＵを下方に回動させ受け部材１の受け置き部４をホルダ部材３の開口１８に進入させて、受け置き部４の外面である塗布部９とホルダ部材３の開口１８を形成する周縁との間に、塗布体２０を挟み込み、受け部材１の塗布部９に塗布体２０を被覆した状態とする。
【００４０】
このとき、破断ユニットＵがホルダ部材３に上下方向に重なり、受け部材１とホルダ部材３とは、係合突起１１，２２同士の係合により一体化される。
【００４１】
次いで、図１３に示すように、一体化された受け部材１及びホルダ部材３に対して、破断部材２をヒンジＨのピン１７（図５参照）を支点として上方に回動させて開状態とし、次いで、カプセル容器Ｃを受け部材１の受け置き部４に受け置く。
【００４２】
次いで、一体化された受け部材１及びホルダ部材３に対して、図１４に示すように、破断部材２をヒンジＨにより下方に回動させて閉状態とし、受け部材１の受け置き部４に破断部材２の爪１２を進ませて（凹部内へ進入させて）当該受け置き部４のカプセル容器Ｃを押し潰す（図５及び図１３参照）。
【００４３】
このとき、カプセル容器Ｃの薄膜Ｍは、鋭利な破断爪１３により突き刺されて破断しながら爪１２の土台により押し潰され、カプセル容器Ｃ内の化粧料は受け部材１の受け置き部４の凹部内に流出する。このカプセル容器Ｃの破断により現れた化粧料は、受け部材１の複数の孔８を通過して塗布に供されるべく塗布部９に流出し、塗布体２０に含浸される。
【００４４】
この爪１２の受け置き部４への進出（凹部内への進入）に際して、保持爪１４を有する十文字の土台の周方向の４箇所の空間部分Ｓ（図３参照）に、受け置き部４の４個の突部７がそれぞれ位置するため、当該空間部分Ｓが埋められ、受け置き部４に無駄な空間が生じることはなく、受け置き部４に流出した化粧料は無駄なく孔８を通過し塗布体２０に含浸される。
【００４５】
そして、塗布にあたっては、使用者は、把手部５，１５，１９を重ねて持ち（図１４参照）、塗布体２０を顔等の被塗布部に当てることで、塗布体２０に含浸した化粧料を塗布できる。この化粧料は、カプセル容器Ｃに密閉されて収容されていたため、フレッシュな化粧料として塗布できる。そして、把手部５，１５，１９を重ねて持って塗布体２０を被塗布部に適度に押し当てることで、マッサージしながら化粧料を塗布することもできる。
【００４６】
一方、受け部材１の受け置き部４の凹部内の破断後の薄膜Ｍは、受け置き部４に進んだ（凹部内に進入した）保持爪１４，１４同士の間に、潰れた状態で挟持されて保持される。
【００４７】
従って、一体化されている受け部材１及びホルダ部材３に対して、破断部材２をヒンジＨにより上方に回動させて開状態とすることで、破断後の薄膜Ｍは受け部材１の受け置き部４から取り出される。
【００４８】
斯くの如く、一連の動作の際、すなわち、カプセル容器Ｃを破断する際、化粧料を塗布する際、破断後の薄膜Ｍを受け置き部４から取り出す際に、使用者の手を汚すことはない。
【００４９】
そして、保持爪１４，１４同士の間に保持されている薄膜Ｍは、使用者により指で摘まれて容易に取り除かれる。
【００５０】
なお、保持爪１４は、ここでは、特に破断後の薄膜Ｍを保持するのが容易であるとして４個としているが、複数個であれば良く、破断爪１３を間に挟むようにして設けられていれば良い。
【００５１】
そして、次回の使用時には、新規なカプセル容器Ｃを受け部材１の受け置き部４に受け置き上記動作を行うことで、使い捨てすることなく化粧料塗布具１００が繰り返し使用される。
【００５２】
このように、本実施形態においては、受け部材１の受け置き部４に受け置かれたカプセル容器Ｃは、破断部材２の爪１２が受け置き部４に進むことで破断され、この破断によりカプセル容器Ｃ内から現れる化粧料は、受け部材１の孔８を通過して塗布部９に流出し塗布に供されるため、カプセル容器Ｃ内の化粧料は、一旦手や指に受けることなく化粧料塗布具１００から直接塗布でき、手や指を汚すことなく容易に顔等の被塗布部に塗布できる。また、受け部材１の受け置き部４で破断されたカプセル容器Ｃの薄膜は、破断部材２の爪１２に保持されるため、爪１２を受け置き部４から退かせることで、破断後の薄膜Ｍを、凹部のような狭い場所に指を入れることなく、取り出した状態で除去でき、破断後の薄膜Ｍを容易に除去できる。また、このように破断後の薄膜Ｍを受け置き部４から取り出し、次回の使用時に、新規なカプセル容器Ｃを受け置き部４に受け置き上記動作を行うことで、化粧料塗布具１００を繰り返し使用でき、従って、化粧料塗布具１００を使い捨てすることなく長期に亘って使用でき、ランニングコストを低減できる。また、カプセル容器Ｃを用いた場合の塗布の多様化を図ることができる（以上第１の作用・効果）。
【００５３】
また、本実施形態においては、爪１２は、カプセル容器Ｃの薄膜Ｍを突き刺して破断する破断爪１３と、破断爪１３を間に挟むように複数が設けられ、カプセル容器Ｃの破断後の薄膜Ｍを互いの間に挟持し保持するための保持爪１４と、を備える構成のため、以下の２通りの機能、すなわち、破断爪１３により、カプセル容器Ｃの薄膜Ｍを突き刺して容易に破断する機能と、保持爪１４により、破断後の薄膜Ｍを保持爪１４，１４同士の間に容易に挟持して保持する機能とを容易に発揮できる（第２の作用・効果）。
【００５４】
また、破断部材２の保持爪１４は、周方向に沿って複数が離間して並設され、受け部材１は、当該受け部材１の受け置き部４に破断部材２の爪１２が進んだときに、周方向に並ぶ保持爪１４，１４同士の間の空間Ｓを埋めるように突出する突部７を備えていため、受け置き部４で破断されたカプセル容器Ｃのその内部から現れる化粧料は、突部７により、周方向に並ぶ保持爪１４，１４同士の間から押し出され、受け部材１の孔８を通して無駄なく塗布に供される（第３の作用・効果）。
【００５５】
また、破断部材２の爪１２が受け部材１の受け置き部４へ進むように、破断部材把手部１５（破断部材２）と受け部材把手部５（受け部材１）とが回動可能に連結されているため、受け部材１の受け置き部４に破断部材２の爪１２が向かうように受け部材把手部５に対して破断部材把手部１５が回動されることにより、受け部材１の受け置き部４に受け置かれたカプセル容器Ｃが破断部材２の爪１２により容易に破断され、一方、破断されて爪１２に保持された薄膜Ｍは、受け部材１の受け置き部４から破断部材２の爪１２が離れるように受け部材把手部５に対して破断部材把手部１５が回動されることにより、受け置き部４から容易に取り出され、従って、使用性が格段に向上されている（第４の作用・効果）。
【００５６】
また、受け部材１の塗布部９に塗布体２０を被覆するためのホルダ部材３を備え、ホルダ部材３はホルダ部材把手部１９を有し、ホルダ部材把手部１９は、破断部材把手部１５及び受け部材把手部５に対して取り付け可能とされているため、破断部材把手部１５及び受け部材把手部５に対してホルダ部材把手部１９が取り付けられ、ホルダ部材３により塗布体２０が受け部材１の塗布部９に被覆された状態で、受け部材１の受け置き部４に破断部材２の爪１２が向かうように受け部材把手部５及びホルダ部材把手部１９に対して破断部材把手部１５が回動されることによって、受け部材１の受け置き部４に受け置かれたカプセル容器Ｃは破断部材２の爪１２により容易に破断され、カプセル容器Ｃ内からの化粧料は、受け部材１の孔８を通過し塗布体２０を介して塗布に供され、塗布体２０を用いて塗布を行うことができると共に、カプセル容器Ｃを用いた場合の塗布の多様化を一層図ることができる（第５の作用・効果）。
【００５７】
因みに、本願発明に使用されるようなカプセル容器Ｃに適用するのに好適な化粧料としては、レチノールやビタミンＣの成分を含む化粧料が挙げられる。レチノールは酸素に触れることで酸化が起こりやすいため、レチノールを含む化粧料１回分を使い切れるように小分けしてカプセル容器Ｃに収容することで酸化を防ぐことができる。また、ビタミンＣは光に弱いため、ビタミンＣを含む化粧料をカプセル容器Ｃに収容して光を遮断することで、使用時には常に新鮮な化粧料として使用することができる。
【００５８】
ここで、他の実施形態として、図１〜図５に示すように、塗布体２０を用いない状態で使用することも可能である。すなわち、塗布体２０がなく露出している受け部材１の塗布部９を、顔等の被塗布部に直接当てることで、孔８からの化粧料を塗布することができる。このとき、直接被塗布部に当たる塗布部９には角がないため、心地よい感触で塗布できる。また、把手部５，１５，１９を重ねて持って塗布部９を被塗布部に適度に押し当てることで、マッサージしながら化粧料を塗布することもできる。そして、当該他の実施形態においても、上記第１〜第４の作用・効果も同様に奏する。
【００５９】
また、ホルダ部材把手部１９が、破断部材把手部１５及び受け部材把手部５に対して着脱自在に取り付け可能とされているため、さらに他の実施形態として、図６に示すように、ホルダ部材３のホルダ部材把手部１９の凸部２１，２１（図１０参照）を破断部材２の両軸受部１６，１６の軸孔の外側部分から抜脱することで、ホルダ部材３を、受け部材１及び破断部材２から成る破断ユニットＵから取り外し、この状態で、使用者が把手部５，１５を重ねて持ち、露出している受け部材１の塗布部９を、顔等の被塗布部に直接当てることで、孔８からの化粧料を塗布することができる。そして、当該さらに他の実施形態においても、上記他の実施形態とほぼ同様な作用・効果を奏する。
【００６０】
図１５は、他の爪を示す正面図である。図１５に示す爪３２は、中央に破断爪３３を有すると共に、この破断爪３３を間に挟むように複数（ここでは４個）の周囲爪３４を有する。
【００６１】
破断爪３３は、矢印状を成し、円錐状に突出する鋭利な突起の根元側にかえし３５を備えたものである。このかえし３５は、突き刺さったものが抜けないように保持するためのものである。
【００６２】
そして、ここでは、破断爪３３は、カプセル容器Ｃの薄膜Ｍを突き刺して破断する機能に加えて、破断後の薄膜Ｍの抜けを阻止し保持する機能を有する。また、周囲爪３４は、ここでは、受け置き部４の突部７とともに専ら受け置き部４の無駄な空間を埋めるように機能する。
【００６３】
このような爪３２を用いると、破断爪３３により、カプセル容器Ｃの薄膜Ｍが突き刺されて容易に破断されると共に、破断後の薄膜Ｍがかえし３５により容易に保持される。
【００６４】
なお、ここでは、破断爪３３が破断後の薄膜Ｍを保持するが、保持爪３４が薄膜Ｍを挟持することで、薄膜Ｍの保持を補助するようにしても良い。
【００６５】
因みに、破断爪１３，３３が受け部材１の受け置き部４の底面に立設される構成では、次回の使用時に、新規なカプセル容器Ｃを受け置き部４に受け置く際に指が破断爪１３，３３に接触し指を傷める虞があり、また、破断後の薄膜Ｍが受け置き部４に残される場合には、破断後の薄膜Ｍを受け置き部４の凹部内に指を入れて取り出す必要があり、この際に指が破断爪１３，３３に接触し指を傷める虞があるが、本実施形態では、そのような虞は解消されている。
【００６６】
以上、本発明をその実施形態に基づき具体的に説明したが、本発明は上記実施形態に限定されるものではなく、例えば、上記実施形態においては、特に好適であるとして、破断部材２と受け部材１の端部同士を回動可能に連結し、受け部材１の受け置き部４に受け置かれたカプセル容器Ｃを、回動する破断部材２の爪１２，３２により破断して保持し、破断後の薄膜Ｍを保持した爪１２，３２を回動しながら受け置き部４から取り出すようにしているが、例えば、破断部材の爪と受け部材の受け置き部を対向させ受け部材に対して破断部材が直線状に進退するのを可能とするように連結し、受け部材の受け置き部に受け置かれたカプセル容器を、直線状に前進する破断部材の爪により破断して保持し、この薄膜を保持した爪を直線状に後退させながら受け置き部から取り出すようにすることも可能である。また、同様に、ホルダ部材に対して受け部材及び破断部材を直線状に進退可能に連結することも可能である。
【符号の説明】
【００６７】
１…受け部材、２…破断部材、３…ホルダ部材、４…受け置き部、５…受け部材把手部、７…突部、８…孔、９…塗布部、１２，３２…爪、１３，３３…破断爪、１４…保持爪、１５…破断部材把手部、１９…ホルダ部材把手部、２０…塗布体、３４…周囲爪、３５…かえし、１００…化粧料塗布具、Ｃ…カプセル容器、Ｈ…ヒンジ、Ｍ…薄膜、Ｕ…破断ユニット（受け部材及び破断部材）。
【図１】
0005887579.tif 000002
【図２】
0005887579.tif 000003
【図３】
0005887579.tif 000004
【図４】
0005887579.tif 000005
【図５】
0005887579.tif 000006
【図６】
0005887579.tif 000007
【図７】
0005887579.tif 000008
【図８】
0005887579.tif 000009
【図９】
0005887579.tif 000010
【図１０】
0005887579.tif 000011
【図１１】
0005887579.tif 000012
【図１２】
0005887579.tif 000013
【図１３】
0005887579.tif 000014
【図１４】
0005887579.tif 000015
【図１５】
0005887579.tif 000016